(57)【要約】【課題】テキスト情報を表示する方法および装置が提供される。【解決手段】該方法は、元のテキスト情報を取得するステップと、意味解析アルゴリズムにより、元のテキスト情報の情報特徴および情報内容を抽出するステップであって、情報特徴は、元のテキスト情報によって記述されている内容のタイプを特徴付けるために使用され、情報内容は、元のテキスト情報によって表現されている情報の特定の内容であるステップと、情報特徴と一致するテキスト表示形式を使用して、情報内容を表示するステップであって、テキスト表示形式は、テキスト情報内容の組版形式または構造形態を含むステップとを含む。したがって、テキスト情報を作成する効率およびユーザ体験が改善され、テキスト情報が最適なテキスト表示形式において表示され、テキスト情報の表現が改善される。【選択図】図１
2020524833.tif 000002
【特許請求の範囲】
【請求項１】
テキスト情報を表示する方法であって、
元のテキスト情報を取得するステップと、
意味解析アルゴリズムにより、前記元のテキスト情報の情報特徴および情報内容を抽出するステップであって、前記情報特徴は、前記元のテキスト情報によって記述されている情報タイプであり、前記情報内容は、前記元のテキスト情報によって記述されている情報の特定の内容であるステップと、
前記情報特徴と一致するテキスト表示形式を使用して、前記情報内容を表示するステップと
を含む、方法。
【請求項２】
前記情報特徴は挙動タイプおよび／または構造タイプを含み、前記挙動タイプは前記元のテキスト情報によって記述されている時系列を有する行動タイプであり、前記構造タイプは前記元のテキスト情報によって記述されている前記情報の構造形態である、請求項１に記載の方法。
【請求項３】
前記情報特徴と一致するテキスト表示形式を使用して、前記情報内容を表示するステップは、
事前設定の複数のテキスト表示形式から、前記情報特徴に一致するテキスト表示形式のセットを決定するステップと、
ユーザが前記テキスト表示形式のセットから目標テキスト表示形式を選択することを可能にするために、前記テキスト表示形式のセットを表示するステップと、
前記ユーザによって入力される選択指示を受信するステップであって、前記選択指示は前記目標テキスト表示形式を含むステップと、
前記目標テキスト表示形式を使用して、前記情報内容を表示するステップと
を含む、請求項１または２に記載の方法。
【請求項４】
前記目標テキスト表示形式を使用して前記情報内容を表示した後、
前記情報特徴と前記目標テキスト表示形式との間の対応を記録するステップをさらに含む、請求項３に記載の方法。
【請求項５】
前記情報特徴と前記テキスト表示形式との間の複数の対応が記録される場合、前記情報特徴に対応する前記テキスト表示形式から、最大回数記録されたテキスト表示形式を、前記情報特徴の一致するテキスト表示形式として、記憶するために選択するステップをさらに含む、請求項４に記載の方法。
【請求項６】
テキスト情報を表示する装置であって、
元のテキスト情報を取得するように構成されている取得モジュールと、
意味解析アルゴリズムにより、前記元のテキスト情報の情報特徴および情報内容を抽出するように構成されている抽出モジュールであって、前記情報特徴は、前記元のテキスト情報によって記述されている情報タイプであり、前記情報内容は、前記元のテキスト情報によって記述されている情報の特定の内容である、抽出モジュールと、
前記情報特徴と一致するテキスト表示形式を使用して、前記情報内容を表示するように構成されている表示モジュールと
を備える、装置。
【請求項７】
前記情報特徴は挙動タイプおよび／または構造タイプを含み、前記挙動タイプは前記元のテキスト情報によって記述されている時系列を有する行動タイプであり、前記構造タイプは前記元のテキスト情報によって記述されている前記情報の構造形態である、請求項６に記載の装置。
【請求項８】
前記表示モジュールは、
事前設定の複数のテキスト表示形式から、前記情報特徴に一致するテキスト表示形式のセットを決定するステップと、
ユーザが前記テキスト表示形式のセットから目標テキスト表示形式を選択することを可能にするために、前記テキスト表示形式のセットを表示するステップと、
前記ユーザによって入力される選択指示を受信するステップであって、前記選択指示は前記目標テキスト表示形式を含むステップと、
前記目標テキスト表示形式を使用して、前記情報内容を表示するステップと
を行うように構成されている、請求項６または７に記載の装置。
【請求項９】
前記情報特徴と前記目標テキスト表示形式との間の対応を記録するように構成されている記録モジュールをさらに備える、請求項８に記載の装置。
【請求項１０】
前記情報特徴と前記テキスト表示形式との間の複数の対応が記録される場合、前記情報特徴に対応する前記テキスト表示形式から、最大回数記録されたテキスト表示形式を、前記情報特徴の一致するテキスト表示形式として記憶するために選択するように構成されている選択ユニットをさらに備える、請求項９に記載の装置。
【請求項１１】
メモリとプロセッサとを備える電子デバイスであって、
前記メモリは、コンピュータプログラムを記憶するように構成されており、
前記プロセッサは、請求項１〜５のいずれか一項に記載の方法を実施するために、前記メモリに記憶されているプログラムを実行するように構成されている、電子デバイス。
【請求項１２】
コンピュータプログラムを記憶した機械可読記憶媒体であって、前記コンピュータプログラムは、プロセッサによって実行されるときに、請求項１〜５のいずれか一項に記載の方法を実施する、機械可読記憶媒体。
【請求項１３】
コンピュータプログラムであって、プロセッサによって実行されると、請求項１〜５のいずれか一項に記載の方法を実施するように構成されている、コンピュータプログラム。
【発明の詳細な説明】
【技術分野】
【０００１】
本願は、ワードプロセッシング技術の分野に関し、特に、テキスト情報を表示する方法および装置に関する。
【０００２】
［関連出願の相互参照］
本願は、参照によりその全体が本明細書に組み込まれる、２０１７年４月２４日に中国国家知的財産局に提出された「テキスト情報を表示する方法および装置」と題する中国特許出願第２０１７１０２７２５９８．３号の優先権を主張する。
【背景技術】
【０００３】
さまざまな端末デバイスおよびインターネット技術の開発により、人々はさまざまなテキスト情報をさまざまな端末デバイスに記録することができる。たとえば、ユーザは携帯電話のメモ機能を使用してさまざまなテキスト情報を記録すること、コンピュータ上で記事を作成することなどができる。端末デバイス上でのテキスト情報の表示は、すでに端末デバイスの不可欠な機能である。
【０００４】
多くのテキスト表示形式が存在する。たとえば、テキストは直接表示される場合があり、テキストは、タイトルまたはアイテム番号の形式で表示される場合があり、テキスト情報はチャートの形式で表示される場合があり、テキスト情報はマインドマップの形式で表示される場合がある。
【０００５】
実際の適用では、テキスト情報をより表現力豊かで理解しやすくするために、テキスト情報の内容に従って異なるテキスト表示形式を選択することができる。現在、テキスト情報を表示するとき、最初にテキスト表示形式を選択し、その後、選択したテキスト表示形式に従ってテキスト情報を作成する必要がある。たとえば、ユーザは、チャートまたはマインドマップなどの表示形式を選択することによって、テキスト情報を作成することができる。このようにして、選択されたテキスト表示形式に従ってテキスト情報を表示することができる。
【０００６】
テキスト情報は、テキスト表示形式を選択するときには作成されず、そのため、テキスト情報を作成する前にユーザが選択したテキスト表示形式は、作成されるテキスト情報に適しない場合があることが分かる。ユーザは、テキスト表示形式の選択およびテキスト情報の作成を繰り返す必要があり、これによって、テキスト情報の作成の効率およびユーザ体験が低下する可能性がある。
【発明の概要】
【発明が解決しようとする課題】
【０００７】
本願の実施形態の目的は、作成されるテキスト情報に従って適切なテキスト表示形式の選択を実施するように、テキスト情報を表示する方法および装置を提供することであり、このとき、テキスト情報は、上記テキスト表示形式において表示される。これによって、テキスト情報を作成する効率およびユーザ体験が向上する。具体的には、技術的な解決策は次のとおりである。
【課題を解決するための手段】
【０００８】
上記の目的を実現するために、本願の一実施形態は、テキスト情報を表示する方法であって、
元のテキスト情報を取得するステップと、
意味解析アルゴリズムにより、元のテキスト情報の情報特徴および情報内容を抽出するステップであって、情報特徴は、元のテキスト情報によって記述されている情報タイプであり、情報内容は、元のテキスト情報によって記述されている情報の特定の内容であるするステップと、
情報特徴と一致するテキスト表示形式を使用して、情報内容を表示するステップと
を含む、方法を提供する。
【０００９】
任意選択的に、情報特徴は挙動タイプおよび／または構造タイプを含み、挙動タイプは元のテキスト情報によって記述されている時系列を有する行動タイプであり、構造タイプは元のテキスト情報によって記述されている情報の構造形態である。
【００１０】
任意選択的に、情報特徴と一致するテキスト表示形式を使用して、情報内容を表示するステップは、
事前設定の複数のテキスト表示形式から、情報特徴に一致するテキスト表示形式のセットを決定するステップと、
ユーザがテキスト表示形式のセットから目標テキスト表示形式を選択することを可能にするために、テキスト表示形式のセットを表示するステップと、
ユーザによって入力される選択指示を受信するステップであって、選択指示は目標テキスト表示形式を含むステップと、
目標テキスト表示形式を使用して、情報内容を表示するステップと
を含む。
【００１１】
任意選択的に、目標テキスト表示形式を使用して情報内容を表示した後、方法は、
情報特徴と目標テキスト表示形式との間の対応を記録するステップをさらに含む。
【００１２】
任意選択的に、方法は、
情報特徴とテキスト表示形式との間の複数の対応が記録される場合、情報特徴に対応するテキスト表示形式から、最大回数記録されたテキスト表示形式を、情報特徴の一致するテキスト表示形式として、記憶するために選択するステップをさらに含む。
【００１３】
上記の目的を実現するために、本願の一実施形態は、テキスト情報を表示する装置であって、
元のテキスト情報を取得するように構成されている取得モジュールと、
意味解析アルゴリズムにより、元のテキスト情報の情報特徴および情報内容を抽出するように構成されている抽出モジュールであり、情報特徴は、元のテキスト情報によって記述されている情報タイプであり、情報内容は、元のテキスト情報によって記述されている情報の特定の内容である、抽出モジュールと、
情報特徴と一致するテキスト表示形式を使用するように構成されている表示モジュールと
を含む、装置をさらに提供する。
【００１４】
任意選択的に、情報特徴は挙動タイプおよび／または構造タイプを含み、挙動タイプは元のテキスト情報によって記述されている時系列を有する行動タイプであり、構造タイプは元のテキスト情報によって記述されている情報の構造形態である。
【００１５】
任意選択的に、表示モジュールは具体的には、
事前設定の複数のテキスト表示形式から、情報特徴に一致するテキスト表示形式のセットを決定するステップと、ユーザがテキスト表示形式のセットから目標テキスト表示形式を選択することを可能にするために、テキスト表示形式のセットを表示するステップと、ユーザによって入力される選択指示を受信するステップであって、選択指示は目標テキスト表示形式を含むステップと、目標テキスト表示形式を使用して、情報内容を表示するステップとを行うように構成されている。
【００１６】
任意選択的に、装置は、
情報特徴と目標テキスト表示形式との間の対応を記録するように構成されている記録モジュールをさらに含む。
【００１７】
任意選択的に、装置は、
情報特徴とテキスト表示形式との間の複数の対応が記録される場合、情報特徴に対応するテキスト表示形式から、最大回数記録されたテキスト表示形式を、情報特徴の一致するテキスト表示形式として、記憶するために選択するように構成されている選択ユニットをさらに含む。
【００１８】
上記の目的を達成するために、本願の一実施形態は、プロセッサおよびメモリを含む電子デバイスであって、メモリは、コンピュータプログラムを記憶するように構成されており、プロセッサは、テキスト情報を表示する上記の方法を実施するために、メモリに記憶されたプログラムを実行ように構成されている、電子デバイスをさらに提供する。
【００１９】
上記の目的を達成するために、本願の一実施形態は、機械可読記憶媒体を提供する。機械可読記憶媒体は、内部にコンピュータプログラムを記憶し、コンピュータプログラムは、プロセッサによって実行されるときに、テキスト情報を表示する上記の方法を実施する。
【００２０】
上記の目的を達成するために、本願の一実施形態は、コンピュータプログラムをさらに提供し、コンピュータプログラムは、プロセッサによって実行されるときに、テキスト情報を表示する上記の方法を実施する。
【発明の効果】
【００２１】
本願の実施形態は、テキスト情報を表示する方法および装置を提供し、テキスト特徴から情報特徴および情報内容が抽出され、情報特徴に一致するテキスト表示形式が選択され、テキスト情報の情報内容が上記テキスト表示形式において表示され、テキスト情報を作成する前に、選択されたテキスト表示形式がテキスト情報に適していないという問題が回避され、したがって、テキスト情報を作成する効率およびユーザ体験が改善する。加えて、テキスト情報は、情報特徴と一致するテキスト表示形式によって表示され、したがって、テキスト情報の表現力が向上する。本願の実施形態を実施するための任意の製品または方法は、必ずしも上記の利点のすべてを達成することを必要としないことを理解されたい。
【図面の簡単な説明】
【００２２】
本願または従来技術の実施形態の技術的な解決策をより明確に説明するために、実施形態および従来技術で必要な図面を以下に簡単に説明する。明らかに、以下で説明する図面は本願の一部の実施形態のみのものに過ぎず、当業者は一切の創造的な努力なしにこれらの図面に基づいて他の図面を取得することもできる。
【００２３】
【図１】本願の一実施形態によるテキスト情報を表示する方法のフロー図である。
【図２】本願の一実施形態による旅行構成に対応するテキスト表示形式の概略図である。
【図３】本願の一実施形態による構造化データの概略図である。
【図４】本願の一実施形態によるツリー構造に対応するテキスト表示形式の概略図である。
【図５】本願の一実施形態によるテキスト情報を表示する装置の構造図である。
【図６】本願の一実施形態による電子デバイスの構造図である。
【発明を実施するための形態】
【００２４】
本願の技術的解決策を、本願の実施形態の図面を参照して詳細に説明する。明らかに、説明される実施形態は、本願の実施形態のすべてではなく、一部に過ぎない。本明細書の実施形態に基づいて、一切の創造的な努力なしに当業者によって得られる他のすべての実施形態は、本願の範囲内である。
【００２５】
テキスト情報を作成する効率およびユーザ体験を改善するために、本願の実施形態は、テキスト情報を表示する方法および装置を提供する。本願は、特定の実施形態を通じて以下に詳細に説明される。
【００２６】
図１を参照すると、図１は、本願の一実施形態によるテキスト情報を表示する方法のフロー図である。本方法は、携帯電話、コンピュータ、またはデータ処理機能を備えた他の端末デバイスなどの電子デバイスに適用可能であり得る。テキスト情報を表示する方法は、元のテキスト情報を取得するステップ１０１を含む。
【００２７】
元のテキスト情報は、電子デバイス上に存在するテキスト情報であり得、または、電子デバイス上で作成されているテキスト情報であり得、または、記憶デバイス内に記憶されているテキスト情報であり得る。
【００２８】
ＴＸＴ形式、Ｗｏｒｄ形式などのように、テキスト情報には多くの形式がある。本願の実施形態では、電子デバイスによって認識され得る任意のテキスト形式が、本願の実施形態に適用可能であり得る。元のテキスト情報は、１つの段落または複数の段落のいずれかであり得る。特定の組版形式はここでは限定されない。
【００２９】
電子デバイスが元のテキスト情報を取得する方法は多数存在する。例えば、電子デバイスは、ユーザが入力したまたは入力されている元のテキスト情報を取得してもよく、また、既存の元のテキスト情報を記憶デバイスから直接取得してもよい。
【００３０】
前記方法は、意味解析アルゴリズムにより、元のテキスト情報の情報特徴および情報内容を抽出するステップ１０２を含む。
【００３１】
情報特徴は、元のテキスト情報によって記述される情報タイプであり、情報内容は、元のテキスト情報によって記述される情報の特定の内容である。
【００３２】
元のテキスト情報を取得した後、意味解析アルゴリズムにより、元のテキスト情報に対して意味解析処理が実行され、情報特徴および情報内容が元のテキスト情報から抽出される。
【００３３】
元のテキスト情報は単語の集合と考えることがすることができ、それゆえ、特定のイベント、挙動、対象物間の関係、または他の抽象概念などを、単語を規則正しい順序で配列ことによって記述することができる。情報特徴は、元のテキスト情報によって記述される情報タイプである。
【００３４】
たとえば、元のテキスト情報ｆ１は、「明日旅行するために場所Ａに行き、最初に都市Ｂに飛び、その後、都市Ｃに行って遊び、その後、バスに乗って都市Ｄに行く、とても忙しい１日になるだろう」である。意味解析アルゴリズムによって、元のテキスト情報ｆ１に対して意味解析処理が実行され、元のテキスト情報ｆ１によって記述されている情報タイプが旅行構成であると判定され得る。
【００３５】
本願の実施形態では、旅行構成、論理的導出過程、組織構造、統計データなどの複数の情報特徴を事前設定することができる。意味解析アルゴリズムにより、元のテキスト情報に対して意味解析処理が実行され、元のテキスト情報によって記述されている情報タイプが複数の事前設定の情報特徴のうちの１つとして決定され得、それにより元のテキスト情報から情報特徴が抽出される。
【００３６】
情報内容は、元のテキスト情報によって記述されている特定の中核的内容である。情報内容には、特定の意味を有しない、元のテキスト情報内の、文を接続するために使用される接続詞、語気助詞などの単語を含めることはできない。なお上記の例を使用すると、元のテキスト情報ｆ１の情報内容は、「旅行するために場所Ａに行き」、「都市Ｂに飛び」、「都市Ｃに行って遊び」、「バスに乗って都市Ｄに行く」および「とても忙しい１日になるだろう」であり得る。
【００３７】
意味解析アルゴリズムは、ハードウェア、ソフトウェア、または両方の組み合わせで実装することができる。元のテキスト情報の情報特徴および情報内容は、元のテキスト情報内の単語の意味および単語間の関係を解析することによって取得することができる。本願の実施形態で使用される意味解析アルゴリズムは、ＰＬＳＡ（確率的潜在意味解析）、ＮＭＦ（非負行列因子分解）またはＤＡ（潜在的ディリクレ配分法）などのようなアルゴリズムであってもよい。意味解析アルゴリズムは、本明細書では詳述されていない、本願の実施形態における要件に従って選択されてもよい。
【００３８】
前記方法は、情報特徴と一致するテキスト表示形式を使用して、情報内容を表示するステップ１０３を含む。
【００３９】
テキスト表示形式は、テキスト情報内容の組版形式または構造形態を含む。
【００４０】
元のテキスト情報の情報特徴および情報内容を取得した後、情報特徴に一致するテキスト表示形式を決定することができる。
【００４１】
本願の実施形態では、対応する識別子をテキスト表示形式に割り当てることができ、識別子は種々のタイプのテキスト表示形式を表すことができる。それにより、情報特徴と一致するテキスト表示形式は、識別子に従って決定することができる。
【００４２】
情報特徴と一致する対応するテキスト表示形式が決定された後、元のテキスト情報の抽出された情報内容は、一致したテキスト表示形式にファイリングされ、それにより上記テキスト表示形式によって情報内容が表示される。
【００４３】
なお上記の例を使用すると、元のテキスト情報ｆ１の抽出される情報特徴は旅行構成である。旅行構成に対応するテキスト表示形式が、事前設定のテキスト表示形式から決定され得る。抽出された元のテキスト情報ｆ１の情報内容が、その後、旅行構成に対応するテキスト表示形式に記入される。情報内容を記入した後のテキスト表示形式は、図２に示される通りであり、これは、本願の実施形態による旅行構成に対応するテキスト表示形式の概略図である。
【００４４】
情報内容は、電子デバイスが認識することができる構造化データに変換することもできる。構造化データは、データまたは統一された構造によって表すことができる。これは、情報内容をテキスト表示形式において表示するのにより有益である。
【００４５】
すなわち、電子デバイスは、情報内容を電子デバイスが認識することができる構造化データに変換し、構造化データを、表示のための情報特徴と一致するテキスト表示形式に記入することができる。
【００４６】
依然として上記の例を使用して、元のテキスト情報ｆ１の情報内容を抽出した後、情報内容は、本願の一実施形態による構造化データの概略図である、図３に示すように構造化データに変換され得る。
【００４７】
本願の実施形態において、意味解析アルゴリズムによって、取得されている元のテキスト特徴から情報特徴および情報内容を抽出することができ、情報特徴に一致するテキスト表示形式を選択することができ、テキスト情報の情報内容を上記テキスト表示形式において表示することができ、したがって、テキスト情報を作成する前に、選択されたテキスト表示形式がテキスト情報に適していないという問題が回避され、ユーザによって実施される、繰り返し作業が回避される。さらに、テキスト情報を作成する効率およびユーザ体験が改善し、情報特徴と一致するテキスト表示形式によってテキスト情報が表示されることが可能になり、したがって、テキスト情報の表現力が改善する。
【００４８】
任意選択的に、本願の実施形態において提供されるテキスト情報を表示する方法では、情報特徴は、元のテキスト情報によって記述される時系列を伴う行動タイプである挙動タイプを含むことができる。
【００４９】
意味解析アルゴリズムによって元のテキスト情報内の情報特徴を抽出するとき、元のテキスト情報によって記述されている情報に時系列を伴う行動が含まれている場合、時系列を伴う行動に関連する情報特徴は挙動タイプとして参照することができる。たとえば、上記の例で元のテキスト情報ｆから抽出される旅行構成は、典型的な挙動タイプである。
【００５０】
スケジュール、会議の議題などのような、多くの挙動タイプがある。
【００５１】
対応して、情報特徴と一致するテキスト表示形式を使用して、情報内容を表示するステップは、
挙動タイプと一致するテキスト表示形式を使用して、挙動タイプの情報内容を表示するステップを含むことができる。
【００５２】
すなわち、元のテキスト情報から抽出される情報特徴が挙動タイプであるとき、挙動タイプと一致するテキスト表示形式が使用されて、元のテキスト情報から抽出される情報内容において挙動タイプの内容が表示される。
【００５３】
元のテキスト情報の情報特徴が挙動タイプであるとき、挙動タイプに対応するテキスト表示形式を決定することができ、挙動タイプごとに１つまたは複数の異なるテキスト表示形式を事前設定することができる。たとえば、旅行構成の挙動タイプについては、経路構成または地図ナビゲーションマークなどのようなテキスト表示形式を事前に設定することができ、会議構成の挙動タイプについては、経路構成または会議の進行表などのようなテキスト表示形式を事前に設定することができる。
【００５４】
テキスト表示形式を挙動タイプと一致させることにより、テキスト表示形式はより目標を絞ることができ、情報内容をより表現力豊かに表現することができる。
【００５５】
任意選択的に、本願の実施形態において提供されるテキスト情報を表示する方法では、情報特徴は、元のテキスト情報によって記述される情報の構造形態である構造タイプを含むことができる。
【００５６】
元のテキスト情報によって記述されている情報が時系列を伴う行動に関連していないとき、情報特徴はまた、元のテキスト情報によって記述されている情報の構造タイプによって分類することもできる。
【００５７】
たとえば、元のテキスト情報によって記述される構造タイプは、ツリー構造、一次元フロー構造、一次元タイル構造、二次元構造、三次元構造、多次元構造などであってもよい。
【００５８】
元のテキスト情報によって記述されている情報が、組織関係構造、相互に並置された節、または論理的導出過程などのような多分岐構造の情報であるとき、元のテキスト情報によって記述されている情報の構造タイプは、ツリー構造として考えることができる。
【００５９】
元のテキスト情報によって記述される情報が、分岐構造を含まないイベントまたは他の情報のフローであるとき、元のテキスト情報によって記述される情報の構造タイプは、一次元フロー構造と考えることができる。
【００６０】
例えば、記述されている情報が交差、結合などのような概念に関連するときのように、元のテキスト情報によって記述されている情報が、重なり合うかまたは互いに影響を与える構造を有するとき、元のテキスト情報によって記述される情報の構造タイプは、一次元タイル構造と考えることができる。
【００６１】
たとえば、元のテキスト情報によって記述される情報が２つの次元を有するとき、元のテキスト情報によって記述される情報は、１２か月の給与統計データである。このとき、元のテキスト情報は、それぞれ月、および、月に対応する給与の２つの次元の情報内容を有する。したがって、元のテキスト情報によって記述されている情報の構造タイプは、二次元構造と考えることができる。
【００６２】
同様に、三次元構造、多次元構造などのような構造タイプは、二次元構造と類似しており、これについては、再度詳しく説明しない。
【００６３】
上記にリストした構造タイプはすべてを網羅することはできず、すべての構造タイプが含まれるとは限らず、実際の適用の要件に従って、さまざまな構造タイプを定義または作成することができる。
【００６４】
対応して、本願の実施形態において、情報特徴と一致するテキスト表示形式を使用して、情報内容を表示するステップは、
構造タイプと一致するテキスト表示形式を使用して、構造タイプの情報内容を表示するステップを含むことができる。
【００６５】
すなわち、元のテキスト情報から抽出される情報特徴が構造タイプであるとき、構造タイプと一致するテキスト表示形式が使用されて、元のテキスト情報から抽出される情報内容において構造タイプの内容が表示される。
【００６６】
各構造タイプは、１つまたは複数のテキスト表示形式に対応する場合がある。たとえば、ツリー構造に対応するテキスト表示形式は、箇条書きの丸印を有する複数の段落、マインドマップ、および組織構造図などであり得る。
【００６７】
一次元フロー構造に対応するテキスト表示形式は、フロー図、価値連鎖図、イベントチェーン図などであり得る。
【００６８】
一次元タイル構造に対応するテキスト表示形式は、ベン図であり得る。
【００６９】
二次元構造に対応するテキスト表示形式は表であり得る。
【００７０】
三次元構造に対応するテキスト表示形式はピボットテーブルであり得る。
【００７１】
多次元構造に対応するテキスト表示形式は、ＵＭＬ（ＵＭＬ：統一モデル言語）図であり得る。
【００７２】
元のテキスト情報によって記述されている情報の構造タイプを決定した後、構造タイプと一致するテキスト表示形式を決定することができ、元のテキスト情報の情報内容を、テキスト表示形式を使用して表示することができる。
【００７３】
たとえば、元のテキスト情報ｆ２は、「Ａ社には、マーケティング部、生産管理部、および経営管理部があり、マーケティング部には、販売課および投資管理課があり、生産管理部には、技術課、検査課、および品質管理課があり、技術課は、種々の担当製品に従って製品グループ１および製品グループ２に分割され、経営管理部には、人事課および財務課がある」である。
【００７４】
意味解析アルゴリズムによって、元のテキスト情報の情報特徴および情報内容を取り出すことができ、元のテキスト情報の情報特徴を、ツリー構造の構造タイプとして決定することができる。また、組織構造図などのツリー構造に対応するテキスト表示形式を決定することができ、図４を参照して、テキスト表示形式は、元のテキスト情報の情報内容を表示するために使用され、図４は、本願の一実施形態によるツリー構造に対応するテキスト表示形式の概略図である。
【００７５】
図４からわかるように、元のテキスト情報ｆ２の情報内容は、組織構造図のテキスト表示形式によって表示される。これにより、元のテキスト情報ｆ２が表現しようとしている特定の内容をより明確に表現することが可能である。
【００７６】
本願の実施形態では、元のテキスト情報によって記述されている情報の構造タイプが決定され、特定の構造タイプと一致するテキスト表示形式が決定され、これにより、マッチング精度を改善することが可能になり、一致したテキスト表示形式は、テキスト情報によって記述されている情報を表示するのにより適している。
【００７７】
任意選択的に、本願の実施形態によって提供されるテキスト情報を表示する方法では、情報特徴は、挙動タイプおよび構造タイプを含むことができる。
【００７８】
対応して、本願の実施形態において、情報特徴と一致するテキスト表示形式を使用して、情報内容を表示するステップは、
挙動タイプと一致するテキスト表示形式を使用して、挙動タイプの情報内容を表示するステップと、
構造タイプと一致するテキスト表示形式を使用して、構造タイプの情報内容を表示するステップと
を含むことができる。
【００７９】
すなわち、挙動タイプと一致するテキスト表示形式が使用されて、元のテキスト情報から抽出される情報内容において挙動タイプの内容が表示され、構造タイプと一致するテキスト表示形式が使用されて、元のテキスト情報から抽出される情報内容において構造タイプの内容が表示される。
【００８０】
任意選択的に、本願の実施形態によって提供されるテキスト情報を表示する方法において、情報特徴と一致するテキスト表示形式を使用して情報内容を表示するステップは、
第１のステップにおいて、事前設定の複数のテキスト表示形式から、情報特徴と一致するテキスト表示形式のセットを決定するステップを含む。
【００８１】
本願の実施形態では、各情報特徴に対して複数のテキスト表示形式が事前設定され得る。テキスト表示形式を決定する必要がある場合、情報特徴に従って事前設定の複数のテキスト表示形式から選択することにより、情報特徴と一致するテキスト表示形式を迅速に決定することができる。
【００８２】
ただし、多くの場合、１つの情報特徴は通常、複数のテキスト表示形式と一致し得る。情報特徴が複数のテキスト表示形式と一致する場合、電子デバイスは多くの場合、最適なテキスト表示形式を決定することができない。したがって、情報特徴と一致する複数のテキスト表示形式をテキスト表示形式のセットに入れることができ、テキスト表示形式のセットは、情報特徴と一致する複数のテキスト表示形式を含み得るか、または、情報特徴と一致する複数のテキスト表示形式の識別子を含むことができる。
【００８３】
第２のステップにおいて、テキスト表示形式のセットが表示される。
【００８４】
情報特徴と一致する複数のテキスト表示形式から構成されるテキスト表示形式のセットを決定した後、電子デバイスは、テキスト表示形式のセットをユーザに表示し、結果、ユーザは、テキスト表示形式のセットから最適なテキスト表示形式を選択することができる。ここで、最適なテキスト表示形式が、目標テキスト表示形式である。
【００８５】
第３のステップにおいて、ユーザによって入力される選択指示が受信され、選択指示は目標テキスト表示形式を含む。
【００８６】
第４のステップにおいて、選択指示内の目標テキスト表示形式が使用されて、情報内容が表示される。
【００８７】
ユーザによる選択後、電子機器はユーザによって入力されている選択指示を受信し、ユーザによって入力される選択指示は、例えばマウスクリックまたは他の選択方法など、ユーザによる電子デバイスへの操作信号であってもよい。電子デバイスは、ユーザの操作に従って、情報特徴と一致する目標テキスト表示形式を決定することができる。そして、電子デバイスは、テキスト表示形式を使用して、元のテキスト情報の情報内容を表示することができる。
【００８８】
本願の実施形態において、テキスト表示形式を決定する過程に、ユーザは直接参加することができ、これはマッチングの精度を改善するだけでなく、最終結果をユーザの期待により合致したものにもする。したがって、ユーザ体験がさらに改善する。
【００８９】
任意選択的に、本願の実施形態によって提供されるテキスト情報を表示する方法において、選択指示内のテキスト表示形式を使用して情報内容を表示した後、該方法は、
情報特徴のためにユーザが選択した各テキスト表示形式を記録するステップをさらに含む。
【００９０】
すなわち、情報特徴と目標テキスト表示形式との間の対応が記録される。
【００９１】
さらに、この方法は、情報特徴についてユーザが選択した各テキスト表示形式に従って、情報特徴とテキスト表示形式との間の対応を確立するステップをさらに含む。
【００９２】
すなわち、複数のユーザによって入力される選択指示に従って、情報特徴とテキスト表示形式との間の複数の対応が記録され、情報特徴に対応するテキスト表示形式から、最大回数記録されたテキスト表示形式が、情報特徴の一致するテキスト表示形式として、記憶するために選択される。
【００９３】
ユーザが、情報特徴と一致する複数のテキスト表示形式から情報特徴に最適なテキスト表示形式を選択するたびに、電子デバイスは、この情報特徴のためにユーザが選択したテキスト表示形式を記録することができる。それにより、電子デバイスは、この情報特徴のために複数の異なるユーザによって選択されたテキスト表示形式の大量の選択結果を記録することができる。
【００９４】
大量のデータを蓄積することにより、情報特徴とテキスト表示形式との間の対応を確立することができる。たとえば、ある情報特徴について、ユーザの９０％がテキスト表示形式Ａを選択し、ユーザの１０％がテキスト表示形式Ｂを選択する。この情報特徴について、テキスト表示形式Ａが最適なテキスト表示形式であり、結果、情報特徴とテキスト表示形式Ａとの間の対応を確立することができる、と考えることができる。対応とは、表の形式で実現することができる、テキスト表示形式と情報特徴との関係を指す。表１に示す、テキスト表示形式と情報特徴との間の比較表を参照されたい。テキスト表示形式と情報特徴との間の対応は、表を使用して明確に記録することができる。
【００９５】
【表１】
2020524833.tif 000003
【００９６】
対応して、情報特徴と一致するテキスト表示形式を使用して、情報内容を表示するステップは、
対応に従って、情報特徴と一致するテキスト表示形式を決定するステップと、
情報特徴と一致するテキスト表示形式を使用して、情報内容を表示するステップと
を含むことができる。
【００９７】
ユーザによって為される大量の選択結果を通じて、さまざまなテキスト表示形式と種々の情報特徴との間の対応を決定した後、その対応を使用して、情報特徴と一致するテキスト表示形式をより迅速かつ正確に決定し、上記テキスト表示形式を通じて、元のテキスト情報の情報内容を表示することができる。このとき、マッチング効率がさらに向上し、ユーザの大量の選択結果に従って対応が得られ、それゆえ、対応に従って得られるマッチング結果は、ユーザの需要により合致させることができる。
【００９８】
本願の一実施形態において、ユーザが、情報特徴と一致する複数のテキスト表示形式から情報特徴に最適なテキスト表示形式を選択するたびに、電子デバイスは、情報特徴と、ユーザが選択したテキスト表示形式との間の対応を記録することができる。
【００９９】
他の元のテキスト情報が取得されるとき、最も多く記録されたテキスト表示形式が、情報特徴と、情報特徴の一致するテキスト表示形式としてユーザが選択したテキスト表示形式との間の大量の記録された対応から選択され得、その後、選択されたテキスト表示形式は、他の元のテキスト情報から抽出された情報内容を表示するために使用される。
【０１００】
同じ発明的概念に基づいて、本願の一実施形態によるテキスト情報を表示する装置の概略図である図５を参照する。該装置は、
元のテキスト情報を取得するように構成されている取得モジュール５０１と、
意味解析アルゴリズムにより、元のテキスト情報の情報特徴および情報内容を抽出するように構成されている抽出モジュール５０２であり、情報特徴は、元のテキスト情報によって記述されている情報タイプであり、情報内容は、元のテキスト情報によって記述されている情報の特定の内容である、抽出モジュール５０２と、
情報特徴と一致するテキスト表示形式を使用して、情報内容を表示するように構成されている表示モジュール５０３であって、テキスト表示形式は、テキスト情報内容の組版形式または構造形態を含む、表示モジュール５０３と
を含む。
【０１０１】
本願の実施形態において、意味解析アルゴリズムによって、取得されている元のテキスト特徴から情報特徴および情報内容を抽出することができ、情報特徴に一致するテキスト表示形式を選択することができ、テキスト情報の情報内容を上記テキスト表示形式において表示することができ、これによって、テキスト情報を作成する効率およびユーザ体験が改善し、テキスト情報が、情報特徴と一致するテキスト表示形式によって表示されることが可能になり、したがって、テキスト情報の表現力が改善する。
【０１０２】
任意選択的に、本願の実施形態において提供されるテキスト情報を表示する装置では、抽出モジュール５０２によって抽出される情報特徴は、元のテキスト情報によって記述される時系列を伴う行動タイプである挙動タイプを含む。
【０１０３】
対応して、表示モジュール５０３は、挙動タイプと一致するテキスト表示形式を使用して、挙動タイプの情報内容を表示するように特に構成することができる。
【０１０４】
すなわち、表示モジュール５０３は、挙動タイプと一致するテキスト表示形式を使用して、情報内容を表示するように特に構成することができる。
【０１０５】
任意選択的に、本願の実施形態において提供されるテキスト情報を表示する装置では、抽出モジュール５０２によって抽出される情報特徴は、元のテキスト情報によって記述される情報の構造形態である構造タイプを含む。
【０１０６】
対応して、表示モジュール５０３は、構造タイプと一致するテキスト表示形式を使用して、構造タイプの情報内容を表示するように特に構成することができる。
【０１０７】
すなわち、表示モジュール５０３は、構造タイプと一致するテキスト表示形式を使用して、情報内容を表示するように特に構成することができる。
【０１０８】
任意選択的に、本願の実施形態によって提供されるテキスト情報を表示する装置において、表示モジュール５０３は具体的には、
事前設定の複数のテキスト表示形式から、情報特徴に一致するテキスト表示形式のセットを決定するステップと、ユーザがテキスト表示形式のセットから目標テキスト表示形式を選択することを可能にするために、テキスト表示形式のセットを表示するステップと、ユーザによって入力される選択指示を受信するステップであって、選択指示は目標テキスト表示形式を含むステップと、目標テキスト表示形式を使用して、情報内容を表示するステップとを行うように構成されている。
【０１０９】
任意選択的に、本願の実施形態によって提供されるテキスト情報を表示する装置において、該装置は、
情報特徴のためにユーザが選択した各テキスト表示形式を記録するように構成されている記録モジュールと、
情報特徴のためにユーザが選択した各テキスト表示形式に従って、情報特徴とテキスト表示形式との間の対応を確立するように構成されている対応付けモジュールと
をさらに含む。
【０１１０】
これに対応して、表示モジュール５０３は具体的には、
対応に従って、情報特徴と一致するテキスト表示形式を決定するステップと、情報特徴と一致するテキスト表示形式を使用して、情報内容を表示するステップとを行うように構成されている。
【０１１１】
任意選択的に、本願の実施形態によって提供されるテキスト情報を表示する装置において、該装置は、
情報特徴と目標テキスト表示形式との間の対応を記録するように構成されている記録モジュールをさらに含む。
【０１１２】
任意選択的に、本願の実施形態によって提供されるテキスト情報を表示する装置において、該装置は、
情報特徴とテキスト表示形式との間の複数の対応が記録される場合、情報特徴に対応するテキスト表示形式から、最大回数記録されたテキスト表示形式を、情報特徴の一致するテキスト表示形式として、記憶するために選択するように構成されている選択ユニットをさらに含む。
【０１１３】
本願の実施形態の装置は、上述のテキスト情報を表示する方法を適用する装置であり、テキスト情報を表示する方法のすべての実施形態は、該装置に適用可能であり、同じまたは類似の有益な効果を達成することができる。
【０１１４】
同じ発明的概念に基づいて、本願の一実施形態は、図６を参照して、プロセッサ６０１およびメモリ６０２を含む電子デバイスであって、メモリ６０２は、コンピュータプログラムを記憶するように構成されており、プロセッサ６０１は、図１〜図４に示すようなテキスト情報を表示する方法を実施するために、メモリに記憶されたプログラムを実行するように構成されている、電子デバイスをさらに提供する。特に、テキスト情報を表示する方法は、
元のテキスト情報を取得するステップと、
意味解析アルゴリズムにより、元のテキスト情報の情報特徴および情報内容を抽出するステップであって、情報特徴は、元のテキスト情報によって記述されている情報タイプであり、情報内容は、元のテキスト情報によって記述されている情報の特定の内容である、抽出するステップと、
情報特徴と一致するテキスト表示形式を使用して、情報内容を表示するステップと
を含む。
【０１１５】
本願の実施形態において、意味解析アルゴリズムによって、取得されている元のテキスト特徴から情報特徴および情報内容を抽出することができ、情報特徴に一致するテキスト表示形式を選択することができ、テキスト情報の情報内容を上記テキスト表示形式において表示することができ、これによって、テキスト情報を作成する効率およびユーザ体験が改善し、テキスト情報が、情報特徴と一致するテキスト表示形式によって表示されることが可能になり、したがって、テキスト情報の表現力が改善する。
【０１１６】
同じ発明的概念に基づいて、本願の一実施形態は、機械可読記憶媒体を提供する。機械可読記憶媒体は、内部にコンピュータプログラムを記憶し、コンピュータプログラムは、プロセッサによって実行されるときに、図１〜図４に示すようなテキスト情報を表示する方法を実施する。特に、テキスト情報を表示する方法は、
元のテキスト情報を取得するステップと、
意味解析アルゴリズムにより、元のテキスト情報の情報特徴および情報内容を抽出するステップであって、情報特徴は、元のテキスト情報によって記述されている情報タイプであり、情報内容は、元のテキスト情報によって記述されている情報の特定の内容であるステップと、
情報特徴と一致するテキスト表示形式を使用して、情報内容を表示するステップと
を含む。
【０１１７】
本願の実施形態において、意味解析アルゴリズムによって、取得されている元のテキスト特徴から情報特徴および情報内容を抽出することができ、情報特徴に一致するテキスト表示形式を選択することができ、テキスト情報の情報内容を上記テキスト表示形式において表示することができ、これによって、テキスト情報を作成する効率およびユーザ体験が改善し、テキスト情報が、情報特徴と一致するテキスト表示形式によって表示されることが可能になり、したがって、テキスト情報の表現力が改善する。
【０１１８】
同じ発明的概念に基づいて、本願の一実施形態は、コンピュータプログラムを提供し、コンピュータプログラムは、プロセッサによって実行されるときに、図１〜図４に示すようなテキスト情報を表示する方法を実施する。特に、テキスト情報を表示する方法は、
元のテキスト情報を取得するステップと、
意味解析アルゴリズムにより、元のテキスト情報の情報特徴および情報内容を抽出するステップであって、情報特徴は、元のテキスト情報によって記述されている情報タイプであり、情報内容は、元のテキスト情報によって記述されている情報の特定の内容であるステップと、
情報特徴と一致するテキスト表示形式を使用して、情報内容を表示するステップと
を含む。
【０１１９】
本願の実施形態において、意味解析アルゴリズムによって、取得されている元のテキスト特徴から情報特徴および情報内容を抽出することができ、情報特徴に一致するテキスト表示形式を選択することができ、テキスト情報の情報内容を上記テキスト表示形式において表示することができ、これによって、テキスト情報を作成する効率およびユーザ体験が改善し、テキスト情報が、情報特徴と一致するテキスト表示形式によって表示されることが可能になり、したがって、テキスト情報の表現力が改善する。
【０１２０】
テキスト情報を表示する装置、電子デバイス、コンピュータ可読記憶媒体、およびコンピュータプログラムの実施形態について、それらはテキスト情報を表示する方法の実施形態と実質的に同様であるため、その説明は比較的単純であり、関連する態様および関連する部分については、方法の実施形態の説明を参照することができる。
【０１２１】
「第１の」、「第２の」などのような本明細書における関係の用語は、１つのエンティティまたは動作を別のエンティティまたは動作から区別するためにのみ使用され、これらのエンティティまたは動作の間に任意の実際の関係または順序があることを必ずしも必要とせず、または、暗示しない。さらに、用語「含む」、「備える」またはその任意の他の変形は、一連の要素を含むプロセス、方法、物品またはデバイスが、列挙されている要素だけでなく、具体的に列挙されていない要素またはこれらのプロセス、方法、物品、もしくはデバイスに固有の要素も含むように、非排他的包含をカバーすることを意図している。さらに限定することなく、「ａを備える」、または、「ａを含む」という文によって定義される要素は、これらの要素を含むプロセス、方法、物品、またはデバイス内に他の同一の要素が存在することを除外しない。
【０１２２】
すべての実施形態は対応するように説明されており、各実施形態の同じまたは類似の部分は相互に参照することができ、強調される部分は他の実施形態との違いである。特に、テキスト情報を表示する装置、電子デバイス、コンピュータ可読記憶媒体、およびコンピュータプログラムの実施形態について、それらはテキスト情報を表示する方法の実施形態と実質的に同様であるため、その説明は比較的単純であり、関連する部分は、図１〜図４に示すようなテキスト情報を表示する方法の実施形態の説明を参照することができる。
【０１２３】
上述の実施形態は、本願の好ましい実施形態に過ぎず、本願の範囲を限定することを意図するものではない。本願の精神および原理内の任意の修正形態、均等物、改良などは、本願の範囲に含まれるべきである。
【図１】
2020524833.tif 000004
【図２】
2020524833.tif 000005
【図３】
2020524833.tif 000006
【図４】
2020524833.tif 000007
【図５】
2020524833.tif 000008
【図６】
2020524833.tif 000009
【国際調査報告】
2020524833.tif 000010
2020524833.tif 000011
2020524833.tif 000012
2020524833.tif 000013